(57)【特許請求の範囲】
【請求項１】
バックボードの周囲に形成されている把持部に対して上方から嵌合できる凹部を備えたベース部と、
前記バックボードを床面に置いた場合でも前記把持部の下に潜り込む事が可能なサイズの爪部を備え且つ前記ベース部に対して水平方向にスライド可能に接続されるスライド部と、
前記ベース部と前記スライド部とのスライド位置を固定可能なロック機構と、
を備えたジョイント部により前記バックバックボードと連結する
ことを特徴とするバックボード用医療機械器具等着脱具。
【請求項２】
請求項１において、
前記ベース部は、前記バックボードの把持部を形成する為に設けられている孔部に入り込む嵌入部を備え、
更に、当該嵌入部の底面には、前記バックボードの孔部に架設されたピンに嵌合するピン嵌合凹部が形成されている
ことを特徴とするバックボード用医療機械器具等着脱具。
【請求項３】
請求項１又は２において、
前記ジョイント部を前記バックボードに取り付けた際、前記爪部の底面は、前記バックボートの底面と略同平面上の位置となるように構成され、装着する医療機械器具等の重量を直接床面に分散可能とされている
ことを特徴とするバックボード用医療機械器具等着脱具。
【発明の詳細な説明】
【技術分野】
【０００１】
本発明は、救命救急の場において使用されるバックボード（患者固定用板状体）の技術分野に関し、特に詳しくは、バックボードに対して各種医療機械器具等（呼吸器、モニター、輸液、シリンジポンプなど。）を取り付け取り外しする為の着脱具に関する。
【背景技術】
【０００２】
近年、救急患者、特に外傷患者の現場からの救急搬送や、病院での初期診療において、図９に示しているようなバックボード１０を使用することが多い。その理由として、バックボード１０に患者を固定することで、脊椎損傷の可能性がある場合でも搬送中に二次損傷をきたさないよう全脊柱軸を安定化したまま搬送しやすい点がある。更に、Ｘ線透過性を有するため、そのままレントゲン撮影やCT撮影が可能な点がある。更に、軽量且つ浮力が大きいので水難事故現場でも使用可能な点もあげられる。
【０００３】
一般的にバックボードには、図９にも示しているように、その外周近傍に把持する際のグリップとして機能したり、身体固定用のベルトを挿通させる為の大小の孔部１２（孔部の大きさや形状、数、位置はバックボードにより異なる。）が多数備わっている。また、図９に示しているバックボード１０のように、孔部１２の中に、ベルト等のアンカーを固定する為の金属製ピン１４が備わっているタイプのバックボードも多い。
【０００４】
また、バックボード１０は、床面等においた状態で患者等をバックボード１０上に載置し、その後バックボード１０と共に患者を持ち上げて運ぶ必要がある。よって、図９（ｂ）に示しているように、バックボード１０の底面側は周囲に向かって例えばテーパに成形される等、バックボード１０を床面に置いた状態でも、握り部１３が床面から浮いた状態となるように工夫されているものが多い。
【０００５】
バックボード１０は救命救急の現場等において広く利用されているが、患者をバックボード１０に載置した後は、患者の状態に応じて各種医療機械器具が患者に接続されることが通常である。例えば人工呼吸器であったり、心拍数などを可視化する生体情報モニターであったり、更には酸素、輸液、シリンジポンプ、尿バッグ等（以下これらを単に「医療機械器具等」と表現する。）が患者に接続される。
【０００６】
また、バックボード１０には、特段これら医療機械器具等を取り付けておくための専用の構造は備わっておらず、従来から空きスペース（バックボード上に患者を載置固定した際に生じる空きスペース：例えば頭部脇、腰脇、足首脇などのスペース。）にこれら患者に接続した医療機械器具等を置いていたのが現状であった。
【０００７】
しかしながら、患者をバックボード１０に固定したままレントゲン撮影やＣＴ撮影をしたり、異なるストレッチャーへの載せ替え等の際には、これら接続した医療機械器具等をわざわざ取り外したり、一つずつ置き場所を変える等の作業が必要となる。多発外傷をはじめとするショック（血圧などの循環動態が不安定）や呼吸状態が悪い患者では一刻も早く診断し治療が開始されないと、生命の危険におよぶことも稀ではない。しかし従来のように空きスペースに各種医療機械器具等を置く場合、患者と接続するラインが複雑に交差してしまうことも多く取り扱いが煩雑で、これにより移動に長時間を要することも多かった。
【０００８】
そこで出願人は、バックボード１０の長手方向一端側に差し込む形式のバックボード用医療機械器具等着脱具を提案している（特許文献１）。
【先行技術文献】
【特許文献】
【０００９】
【特許文献１】特開２０１４−１７１７６２号公報
【発明の概要】
【発明が解決しようとする課題】
【００１０】
しかしながら、従来のバックボード用医療機械器具等着脱具は、差し込み型であるため、バックボードへの着脱にあたって、差し込む側に相応のスペースが必要となり、狭い場所（特にバックボードの長手方向に狭い場所）での着脱に改善の余地があった。また、差し込み型であるので、取り付けてバックボードと一体となると、全体として本来のバックボード以上の長さとなってしまうため、設置場所が限定される（例えば救急車等で使用できない。）場合もあった。また、差し込んだ状態で取り付け強度を確保するために、基台部（ベース部）に使用する部材の量が多くなり、重量面での改善の余地があった。更に、装着にあたっては、僅かではあるがバックボード自体を持ち上げて装着する必要があり、着脱のし易さという観点からも改善の余地があった。
【００１１】
そこで本発明は、これら問題点を一度に解決できるようなバックボード用医療機械器具等着脱具を提供する事をその課題としている。
【課題を解決するための手段】
【００１２】
上記問題点を解決する為に、本発明は、バックボードの周囲に形成されている把持部に対して上方から嵌合できる凹部を備えたベース部と、前記バックボードを床面に置いた場合でも前記把持部の下に潜り込む事が可能なサイズの爪部を備え且つ前記ベース部に対して水平方向にスライド可能に接続されるスライド部と、前記ベース部と前記スライド部とのスライド位置を固定可能なロック機構と、を備えたジョイント部により前記バックボードと連結することを特徴とする。
【００１３】
このような構成のジョイント部を採用したことによって、バックボード用医療機械器具等着脱具をバックボードの長手方向一端に差し込んで取り付けるのではなく、バックボードの上に載せるように取り付けることが可能となった。しかもバックボード用医療機械器具等着脱具をバックボードに取り付けたり取り外したりする際に、バックボードを持ち上げる必要がなく、例えば、バックボードを床面に置いたままでも容易に取り付け取り外しが可能となっている。
【００１４】
また、前記ベース部は、前記バックボードの把持部を形成する為に設けられている孔部に入り込む嵌入部を備え、更に、当該嵌入部の底面に、前記バックボードの孔部に架設されたピンに嵌合するピン嵌合凹部を形成してもよい。
【００１５】
このように構成すれば、ピンとピン嵌合凹部によってジョイント部が位置決め固定されるので、バックボードの周囲に形成された孔部の長さに対してジョイント部のサイズが小さい場合でも、バックボード用医療機械器具等着脱具が位置ズレ（特に孔部の長手方向への位置ズレ）することがない。
【００１６】
また、前記ジョイント部を前記バックボードに取り付けた際、前記爪部の底面を、前記バックボートの底面と略同平面上の位置となるように構成し、装着する医療機械器具等の重量を直接床面に分散可能としてもよい。
【００１７】
バックボード用医療機械器具等着脱具に取り付ける各種医療機械器具（酸素、輸液、シリンジポンプ、尿バッグ等）は相当程度の重さになるため、これら重量がバックボードの把持部に全て掛かると、場合によってバックボードの把持部を損傷させてしまう。そこで、上記の通り、ジョイント部をバックボードに取り付けた際、爪部の底面が、バックボートの底面と略同平面上の位置となるように構成することによって、装着する医療機械器具等の重量を全てバックボードの把持部に負担させるのはなく、この爪部を介して直接床面に分散可能とし、把持部の損傷を防止しているのである。
【発明の効果】
【００１８】
本発明を適用することで、バックボードの端部に差し込んで連結するのではなく、バックボートを床面に置いた状態のままでもバックボードに載せるように連結することができ、着脱のためのスペースも省スペースで済み、取り付け後もバックボードを含めた全体が長くならず、軽量コンパクトなバックボード用医療機械器具等着脱具を提供することができる。
【図面の簡単な説明】
【００１９】
【図１】本発明に係るバックボード用医療機械器具等着脱具の正面図である（一部省略）。
【図２】本発明に係るバックボード用医療機械器具等着脱具の背面図である（一部省略）。
【図３】本発明に係るバックボード用医療機械器具等着脱具の右側面図である。
【図４】（ａ）がメインロック部の正面側拡大図、（ｂ）がメインロック部の底面側拡大図である。
【図５】バックボードに本発明に係るバックボード用医療機械器具等着脱具を装着した際のバックボードとメインロック部の位置関係を示した断面図である。
【図６】本発明に係るバックボード用医療機械器具等着脱具をバックボードに取り付ける状態を示した図であって、ロック前の状態を示した図である。
【図７】本発明に係るバックボード用医療機械器具等着脱具をバックボードに取り付ける状態を示した図であって、ロック後の状態を示した図である。
【図８】本発明に係るバックボード用医療機械器具等着脱具をバックボードに取り付ける状態を示した全体図。
【図９】（ａ）がバックボードの一例を示した全体斜視図、（ｂ）がＡ−Ａ線に沿うバックボードの断面図である。
【発明を実施するための形態】
【００２０】
以下、添付図面を参照しつつ、本発明の実施形態の一例であるバックボード用医療機械器具等着脱具１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２１】
〈バックボード用医療機械器具等着脱具の構成〉
図１〜３に示しているように、本発明にかかるバックボード用医療機械器具等着脱具１００は、２本の主支柱１０２が、一定の間隔を空けて第１連結棒１０４及び第２連結棒１０６によって連結されると共に、それぞれの主支柱１０２の下端近傍からは補助支柱１０３が延び、その補助支柱１０３の下端にそれぞれジョイント部１３０が備わるという基本的構成をなしている。
【００２２】
２本の主支柱１０２は、一定の間隔（略バックボードの幅の間隔）を空けて立てて配置され、丁度高さ方向中程の位置に２本の主支柱１０２を繋ぐように第１連結棒１０４が水平方向に設けられている。また、この第１連結棒１０４より高い場所に２本の主支柱１０２を繋ぐように第２連結棒１０６が水平方向に設けられている。
【００２３】
更に、この第１連結棒１０４及び第２連結棒１０６を繋ぐように、２本の第３連結棒１０８が一定間隔をおいて設けられ、この２本の第３連結棒１０８に跨がるように、医療機械器具取付アタッチメント１１０が備わっている。この医療機械器具取付アタッチメント１１０は、例えば、体外式膜型人工心肺装置（ＥＣＭＯ）などを取り付ける為のアタッチメントである。
【００２４】
２本の主支柱１０２は中空の部材で構成されており、自身より細い伸縮棒１１２が内蔵されている。この伸縮棒１１２は、調整ネジ１１６を緩めて所望の位置にまで引き出す等し、調整ネジ１１６を締めることで、所望の位置で固定することが可能となっている。また、伸縮棒１１２の先端には、それぞれ、輸液バック等を吊り下げるための輸液用フック１１４が備わっている。
【００２５】
なお、符号１２０は医療機械等の電源コード等を巻いて束ねておくためのフックであり、クランプ部１１８によって、主支柱１０２の所望の高さ位置で位置決めしておくことが可能とされている。
【００２６】
それぞれの主支柱１０２の下端より少し上の位置からは、水平方向に延びてから下方に（即ち「Ｌ」字状に）屈曲し、主支柱の１０２の下端と概ね同じ位置にまで補助支柱１０３が延在している。補助支柱１０３の下端には、それぞれ、ジョイント部１３０が備わっている（ジョイント部１３０の詳細は後述する。）。また、主支柱１０２の下端には、第１支持部１４０及び第２支持部１５０が備わっている（第１支持部１４０及び第２支持部１５０の詳細は後述する。）。
【００２７】
図１及び図４に記載している通り、ジョイント部１３０は、補助支柱１０３下端に直接固定されたベースブロック１３２と、このベースブロック１３２に対して水平方向にスライド可能な正面視「コ」字状のスライドブロック１３４を主たる構成要素としている。
【００２８】
ベースブロックの底面略中央には、前後方向（正面―背面方向）に沿った溝が形成されており、この溝（把持部嵌合凹部１３２ｃ）が、当該バックボード用医療機械器具等着脱具１００をバックボード１０に取り付けた際に、バックボート１０の把持部１３(図９参照)が嵌合する部分として機能する。そうすると、この溝（把持部嵌合凹部１３２ｃ）よりも内側の部分が、バックボート１０の孔部に嵌入する嵌入部１３２ａとなる。また、この溝（把持部嵌合凹部１３２ｃ）よりも外側の部分が、バックボード１０の把持部１３の外周側を支える外周側支持部１３２ｂとなる。
【００２９】
嵌入部１３２ａの底面には、更に、左右方向に沿う溝（ピン嵌合凹部１３２ｄ）が形成されている。この溝（ピン嵌合凹部１３２ｄ）は、バックボード１０の孔部１２内に備わる金属製のピン（図９参照）が丁度嵌合することができるサイズとなっている。
【００３０】
スライドブロック１３４は、ベースブロック１３２に対して水平方向にスライド可能に取り付けられている。スライドブロック１３４にはガイド溝１３５が形成されており、このガイド溝１３５に、ベースブロック１３２の上部に固定されたピン１３３が嵌合している。即ち、ガイド溝１３５に沿って、スライドブロック１３２は（幅方向に）スライド可能となっている。
【００３１】
スライドブロックの下方は、バックボード１０の把持部１３を下方から支える事ができる爪部１３８である。爪部１３８の上には、樹脂製の緩衝材１３７が配置され、バックボード１０の把持部１３へのアタリを和らげることができるよう構成されている。なお、爪部１３８の底面は、バックボード用医療機械器具等着脱具１００をバックボードに１０に取り付けた際に、丁度、バックボード１０の底面と略同じ位置（高さ位置）となるように構成され、装置類の荷重を、床面に分散して逃がすことが可能に構成されている（図５参照）。
【００３２】
なお、符号１３６は、ベースブロック１３２とスライドブロック１３４を閉じた状態（図１の状態）で、両者をロックすることができるロック機構である。
【００３３】
なおジョイント部１３０は、２本の補助支柱１０３それぞれ下端に設けられており、構造は同じであるが、スライドブロック１３４がそれぞれ外側に広がるような方向で（要するに反対向きに）取り付けられている。
【００３４】
一方の主支柱１０２の下端に備わる第１支持部１４０は、水平に並置された抑え板１４１とこの抑え板１４１の下方にクランク部材１４４を備えて構成される。クランク部材１４４は抑え板１４１とは独立しており、抑え板１４１を貫通するように形成されたガイド溝１４１ａにそって、左右方向にスライド可能に構成されている。このクランク部材１４４のスライドは、ロック機構１４２を解除すればスライドできる構成とされている。なお、クランク部材１４４の底面は、バックボード用医療機械器具等着脱具１００をバックボードに１０に取り付けた際に、丁度、バックボード１０の底面と略同じ位置（高さ位置）となるように構成され、装置類の荷重を、床面に分散して逃がすことが可能に構成されている。
【００３５】
もう一方の主支柱１０２の下端に備わる第２支持部１５０は、水平に配置された抑え板１５１と、この抑え板の一端から下方に延びる荷重逃がし部１５２とから構成される。なお、荷重逃がし部１５２の底面も、バックボード用医療機械器具等着脱具１００をバックボードに１０に取り付けた際に、丁度、バックボード１０の底面と略同じ位置（高さ位置）となるように構成され、装置類の荷重を、床面に分散して逃がすことが可能に構成されている。
【００３６】
〈バックボード用医療機械器具等着脱具の作用・機能〉
本発明にかかるバックボード用医療機械器具等着脱具１００のバックボード１０への取り付け取り外しは極めて簡単である。まず、図６に示しているように、ジョイント部１３０に備わるロック機構１３６及び第１支持部１４０に備わるロック機構１４２を緩め、スライド部１３４及びクランク部材１４４を外側（バックボード１０の幅方向外側）にスライドさせて広げた状態で、バックボード１０に載せる。この時、２つのジョイント部１３０はバックボード１０に外周近傍に形成された孔部１３に、ベースブロック１３２の嵌入部１３２ａを入れるような形で載せる。そうすると、丁度バックボード１０の把持部１３がベースブロック１３２の底面に形成された溝（把持部嵌合凹部１３２ｃ）が嵌まることになる。更に、ベースブロック１３２の嵌入部１３２ａの底面に形成された溝（ピン嵌合凹部１３２ｄ）に、バックボード１０の孔部１３に備わる金属製のピン１４が嵌めるように載せる。
【００３７】
上記２つのジョイント部１３０を上記のように位置決めすれば、自動的に、第１支持部１４０の抑え板１４１、及び第２支持部１５０の抑え板１５１が、バックボード１０の把持部１３上に当たることになる。
【００３８】
その後、ジョイント部１３０のスライド部１３４を内側へスライドさせ、ロック機構１３６によりロックする。また、第１支持部１４０のクランク部材１４４を内側へスライドさせ、ロック機構１４２によりロックする。以上の作業のみで、バックボード用医療機械器具等着脱具１００のバックボード１０への取り付けが完了する。取り外しの際はこの逆の手順により取り外せば良い。
【００３９】
このように、本発明の実施形態の一例であるバックボード用医療機械器具等着脱具１００は、バックボード１０の周囲に形成されている把持部１３に対して上方から嵌合できる溝（把持部嵌合凹部１３２ｃ）を備えたベース部１３２と、バックボード１０を床面に置いた場合でも把持部１３の下に潜り込む事が可能なサイズの爪部１３８を備え且つベース部１３２に対して水平方向にスライド可能に接続されるスライド部１３４と、ベース部１３２とスライド部１３４とのスライド位置を固定可能なロック機構１３６と、を備えたジョイント部１３０によりバックボード１０と連結するという構成を採用している。
【００４０】
このような構成のジョイント部１３０を採用したことによって、バックボード用医療機械器具等着脱具１００をバックボード１０の長手方向一端に差し込んで取り付けるのではなく、バックボード１０の上に載せるように取り付けることが可能となった。しかもバックボード用医療機械器具等着脱具１００をバックボード１０に取り付けたり取り外したりする際に、バックボード１０自体を持ち上げる必要がなく、例えば、バックボード１０を床面に置いたままでも容易に取り付け取り外しが可能となっている。
【００４１】
また、ベース部１３２は、バックボード１０の把持部１３を形成する為に設けられている孔部１２に入り込む嵌入部１３２ａを備え、更に、この嵌入部１３２ａの底面に、バックボード１０の孔部１２に架設されたピン１４に嵌合する溝（ピン嵌合凹部１３２ｄ）が備わっているので、ピン１４とこの溝（ピン嵌合凹部１３２ｄ）によってジョイント部１３０が位置決め固定されるので、バックボード１０の周囲に形成された孔部１２の長さに対してジョイント部１３０のサイズが小さい場合でも、バックボード用医療機械器具等着脱具１００が位置ズレ（特に孔部１２の長手方向への位置ズレ）することもない。
【００４２】
また、ジョイント部１３０をバックボード１０に取り付けた際、爪部１３８の底面を、バックボート１０の底面と略同平面上の位置となるように構成し、装着する医療機械器具等の重量を直接床面に分散可能とている。
【００４３】
バックボード用医療機械器具等着脱具１００に取り付ける各種医療機械器具（酸素、輸液、シリンジポンプ、尿バッグ等）は相当程度の重さになるため、これら重量がバックボード１０の把持部１３に全て掛かると、場合によってバックボード１０の把持部１３を損傷させてしまう。そこで、上記の通り、ジョイント部１３０をバックボード１０に取り付けた際、爪部１３８の底面が、バックボート１０の底面と略同平面上の位置となるように構成することによって、装着する医療機械器具等の重量を全てバックボード１０の把持部１３に負担させるのはなく、この爪部１３８を介して直接床面に分散可能とし、把持部１３の損傷を防止しているのである。
【符号の説明】
【００４４】
１０・・・バックボード
１２・・・孔部
１３・・・把持部
１４・・・ピン
１００・・・バックボード用医療機械器具等着脱具
１０２・・・主支柱
１０３・・・補助支柱
１０４・・・第１連結棒
１０６・・・第２連結棒
１０８・・・第３連結棒
１１０・・・医療機械器具取付アタッチメント
１１２・・・伸縮部
１１４・・・輸液用フック
１１６・・・調整ネジ
１１８・・・クランプ部
１２０・・・フック
１３０・・・ジョイント部
１３２・・・ベースブロック
１３２ａ・・・嵌入部
１３２ｂ・・・外周支持部
１３２ｃ・・・把持部嵌合凹部
１３２ｄ・・・ピン嵌合凹部
１３３・・・ガイドピン
１３４・・・スライドブロック
１３５・・・ガイド溝
１３６・・・ロック機構
１３７・・・緩衝材
１３８・・・爪部
１４０・・・第１支持部
１４１・・・抑え板
１４１ａ・・・ガイド溝
１４２・・・ロック機構
１４４・・・クランク部材
１４５・・・緩衝材
１５０・・・第２支持部
１５１・・・抑え板
１５２・・・荷重逃がし部
【要約】
【課題】
バックボードの端部に差し込んで連結するのではなく、バックボートを床面に置いた状態のままでもバックボードに載せるように連結することができ、着脱のためのスペースも省スペースで済み、取り付け後もバックボードを含めた全体が長くならず、軽量コンパクトなバックボード用医療機械器具等着脱具を提供する。
【解決手段】
バックボード１０の周囲に形成されている把持部１３に対して上方から嵌合できる凹部１３２ｃを備えたベース部１３２と、バックボード１０を床面に置いた場合でも把持部１１３の下に潜り込む事が可能なサイズの爪部１３８を備え且つベース部１３２に対して水平方向にスライド可能に接続されるスライド部１３４と、ベース部１３２とスライド部１３４とのスライド位置を固定可能なロック機構１３６と、を備えたジョイント部１３０によりバックバックボード１０と連結する。
【選択図】図５【図１】
0005773556.tif 000002
【図２】
0005773556.tif 000003
【図３】
0005773556.tif 000004
【図４】
0005773556.tif 000005
【図５】
0005773556.tif 000006
【図６】
0005773556.tif 000007
【図７】
0005773556.tif 000008
【図８】
0005773556.tif 000009
【図９】
0005773556.tif 000010